(57)【要約】【課題】空気質の測定を行なう人物が、多数の項目を測定できる測定器を有していない場合であっても、必要に応じて多数の空気質の状態を認識することを可能にする空気質提供システム等を提供する。【解決手段】空気質を測定できる測定装置１０を配布された人物が、取得した測定データおよび測定地点に関する情報を取得するデータ取得部４１１と、測定地点に関する情報と測定データとを関連付けて記憶する記憶部４２と、測定装置１０を配布された人物とは異なる人物の、存在する位置を取得する位置取得部４１２と、測定地点に関する情報および測定データから、この位置における空気質の情報を異なる人物に提供する提供部４４と、を有する空気質提供システム１。【選択図】図３
2020034341.tif 000002
【特許請求の範囲】
【請求項１】
空気質を測定できる測定器を配布された人物が、取得した測定データおよび測定地点に関する情報を取得するデータ取得手段と、
前記測定地点に関する情報と前記測定データとを関連付けて記憶する記憶手段と、
前記測定器を配布された人物とは異なる人物の、存在する位置を取得する位置取得手段と、
前記測定地点に関する情報および前記測定データから、前記位置における空気質の情報を前記異なる人物に提供する提供手段と、
を有する空気質提供システム。
【請求項２】
前記データ取得手段は、それぞれの前記測定器より予め定められた空気質の項目数よりも少ない項目数の測定データを取得し、取得した測定データを集約することで、予め定められた空気質の項目の測定データを得ることを特徴とする請求項１に記載の空気質提供システム。
【請求項３】
前記提供手段は、前記測定地点と前記位置との距離を基に、前記測定データを加重平均することで空気質の情報を予測して提供することを特徴とする請求項１に記載の空気質提供システム。
【請求項４】
前記提供手段は、前記測定器を配布された人物が前記測定データを取得した時刻と、前記位置を取得した時刻とを基に、空気質の情報を予測して提供することを特徴とする請求項１に記載の空気質提供システム。
【請求項５】
前記提供手段は、予測した空気質の情報の精度に応じ表示情報を変更して提供することを特徴とする請求項３または４に記載の空気質提供システム。
【請求項６】
前記データ取得手段は、予め定められた施設内における測定データを取得し、
前記提供手段は、予め定められた施設内における空気質の情報を提供することを特徴とする請求項１に記載の空気質提供システム。
【請求項７】
前記提供手段は、前記測定器により前記測定データを取得した人物に対し、施設で利用できる特典を付与することを特徴とする請求項６に記載の空気質提供システム。
【請求項８】
前記提供手段は、施設の管理者に対し、空気質の情報をさらに提供することを特徴とする請求項６に記載の空気質提供システム。
【請求項９】
コンピュータに、
空気質を測定できる測定器を配布された人物が、取得した測定データおよび測定地点に関する情報を取得するデータ取得機能と、
前記測定地点に関する情報と前記測定データとを関連付けて記憶する記憶機能と、
前記測定器を配布された人物とは異なる人物の、存在する位置を取得する位置取得機能と、
前記測定地点に関する情報および前記測定データから、前記位置における空気質の情報を前記異なる人物に提供する提供機能と、
を実現させるためのプログラム。
【発明の詳細な説明】
【技術分野】
【０００１】
本発明は、空気質提供システム、プログラムに関する。
【背景技術】
【０００２】
昨今、空気質の見える化に関する装置が発売されており、例えば、ＰＭ２．５、ＰＭ１０、ＶＯＣ（Volatile Organic Compounds：揮発性有機化合物）、花粉などの測定が簡易に行えるようになりつつある。またほかにも、空気質の情報として、温度、湿度、匂いなどの測定も行なうことができる場合がある。
【０００３】
例えば、特許文献１に記載のホームエネルギー・マネージメントシステムは、家庭内の消費電力を監視して電源をオン・オフ制御し、及び／又は、対象機器の動作状態を制御する情報処理装置と、情報処理装置から通知された情報を表示する情報表示装置とを有するホームエネルギー・マネージメントシステムに、温度又は湿度センサ、通信ユニット、メモリ、演算装置、給電部を収容する可搬式装置と、可搬式装置が存在する居室を特定する位置特定部を追加する。そして、情報処理装置に、可搬式装置から取得した温度又は湿度情報に基づいて、可搬式装置が存在する居室に関連する空調機器・設備の動作状態をフィードバック制御する機能を設ける。
【０００４】
また特許文献２に記載の空調診断システムは、建物内の既設の空調システムの診断を行う空調診断システムであって、複数の空気質測定ツールと、診断装置とを備えている。この場合、空気質測定ツールは、建物内に一時的に配置される。診断装置は、複数の空気質測定ツールから測定結果を得て、それらの測定結果を基に空調システムの診断を行う。また、空気質測定ツールは、測定結果を無線送信するための無線送信ユニットを有している。
【０００５】
さらに特許文献３に記載の表示制御システムは、情報端末装置の表示部に情報を表示させるシステムであり、施設における空気質の状態の検出に関する空気質情報を、表示部に表示させる表示制御部を備える。この場合、空気質について複数種類の検出対象がある。施設には、複数種類の検出対象のうち少なくとも１つの検出対象について検出処理が行われる複数の部屋が含まれている。表示制御部は、複数の部屋及び複数種類の検出対象のうち少なくとも一方についての複数の検出結果から１つの検出結果を求めて、求めた１つの検出結果を含む空気質情報を生成する。
【先行技術文献】
【特許文献】
【０００６】
【特許文献１】特開２０１４−１４９１１５号公報
【特許文献２】特開２００５―３３１３号公報
【特許文献３】特開２０１７―２２７３５３号公報
【発明の概要】
【発明が解決しようとする課題】
【０００７】
従来、特定の建物内に空気質を測定できる測定器を配置し、これから得られる測定データにより空気質の変化を把握できる装置が存在する。ところが測定器で測定できる空気質の情報は、固定点の情報であるために、種々の場所の空気質の情報を得るためには、多数の測定器を必要とする。また空気質について、多数の項目を測定できる測定器を個人が持ち歩き測定を行なうことは、一般的ではない。
本発明では、空気質の測定を行なう人物が、多数の項目を測定できる測定器を有していない場合であっても、必要に応じて多数の空気質の状態を認識することを可能にする空気質提供システム等を実現することにある。
【課題を解決するための手段】
【０００８】
かくして本発明によれば、空気質を測定できる測定器を配布された人物が、取得した測定データおよび測定地点に関する情報を取得するデータ取得手段と、測定地点に関する情報と測定データとを関連付けて記憶する記憶手段と、測定器を配布された人物とは異なる人物の、存在する位置を取得する位置取得手段と、測定地点に関する情報および測定データから、位置における空気質の情報を異なる人物に提供する提供手段と、を有する空気質提供システムが提供される。
【０００９】
ここで、データ取得手段は、それぞれの測定器より予め定められた空気質の項目数よりも少ない項目数の測定データを取得し、取得した測定データを集約することで、予め定められた空気質の項目の測定データを得るようにしてもよい。この場合、少数の項目でしか空気質を測定できない測定器を使用した場合であっても、数々の項目について空気質を把握することができる。
また、提供手段は、測定地点と位置との距離を基に、測定データを加重平均することで空気質の情報を予測して提供するようにしてもよい。この場合、測定地点と異なる人物の存在する位置とが異なっていても空気質を予測することができる。
【００１０】
さらに、提供手段は、測定器を配布された人物が測定データを取得した時刻と、位置を取得した時刻とを基に、空気質の情報を予測して提供するようにしてもよい。この場合、過去の測定データを活用して、より正確な空気質を予測することができる。
またさらに、提供手段は、予測した空気質の情報の精度に応じ表示情報を変更して提供するようにしてもよい。この場合、空気質の情報の正確性の程度についての情報を提供することができる。
そして、データ取得手段は、予め定められた施設内における測定データを取得し、提供手段は、予め定められた施設内における空気質の情報を提供するようにしてもよい。この場合、施設の利用者に対し、空気質の情報を提供することができる。
【００１１】
また、提供手段は、測定器により測定データを取得した人物に対し、施設で利用できる特典を付与するようにしてもよい。この場合、測定器を配布された人物に対し、空気質を測定するインセンティブを与えることができる。
さらに、提供手段は、施設の管理者に対し、空気質の情報をさらに提供するようにしてもよい。この場合、施設の管理者が、空気質をより良くする必要性を認識することができる。
【００１２】
またさらに本発明によれば、コンピュータに、空気質を測定できる測定器を配布された人物が、取得した測定データおよび測定地点に関する情報を取得するデータ取得機能と、測定地点に関する情報と測定データとを関連付けて記憶する記憶機能と、測定器を配布された人物とは異なる人物の、存在する位置を取得する位置取得機能と、測定地点に関する情報および測定データから、位置における空気質の情報を異なる人物に提供する提供機能と、を実現させるためのプログラムが提供される。
【発明の効果】
【００１３】
本発明によれば、空気質の測定を行なう人物が、多数の項目を測定できる測定器を有していない場合であっても、必要に応じて多数の空気質の状態を認識することを可能にする空気質提供システム等を提供することができる。
【図面の簡単な説明】
【００１４】
【図１】本実施の形態における空気質提供システムの構成例を示す図である。
【図２】空気質提供システムの概略動作の例について示した図である。
【図３】空気質提供システムの機能構成例を示したブロック図である。
【図４】本実施形態において、測定装置および管理サーバが行なう動作について説明したフローチャートである。
【図５】測定装置が空気質の測定結果を表示した場合を示した図である。
【図６】本実施形態において、記憶部で保存する空気質に関するデータのデータ構造について示した図である。
【図７】空気質を測定した配布対象者に対し付与される特典の具体例を示した図である。
【図８】携帯端末および管理サーバが行なう動作について説明したフローチャートである。
【図９】図８のステップ２０５において、表示される空気質の情報の例を示した図である。
【図１０】情報被提供者の存在する位置の周囲の測定データから空気質の情報を算出する方法について示した図である。
【図１１】測定データを加重平均するときに使用する重みについて示した概念図である。
【図１２】温度、湿度、および気圧についての空気質の測定データに対し、属性情報として測定日時および測定地点を抜き出した例を示している。
【図１３】携帯端末において、空気質の情報とともに、算出した空気質の情報の精度について併せて表示した例を示した図である。
【発明を実施するための形態】
【００１５】
以下、添付図面を参照して、本発明の実施の形態について詳細に説明する。
【００１６】
＜空気質提供システム全体の説明＞
図１は、本実施の形態における空気質提供システム１の構成例を示す図である。
図示するように本実施の形態の空気質提供システム１は、測定装置１０ａ、１０ｂと、携帯端末１５ａ、１５ｂと、携帯端末２０ａ、２０ｂと、管理サーバ４０とが、ネットワーク７０、ネットワーク８０、アクセスポイント９０を介して接続されることにより構成されている。
また、以下、測定装置１０ａと測定装置１０ｂとを区別しない場合には、単に「測定装置１０」と言うことがある。また、携帯端末１５ａと携帯端末１５ｂとを区別しない場合には、単に「携帯端末１５」と言うことがある。さらに、携帯端末２０ａと携帯端末２０ｂとを区別しない場合には、単に「携帯端末２０」と言うことがある。
なお図１では、測定装置１０、携帯端末１５および携帯端末２０は、それぞれ２つずつしか示していないが、個数はいくつでもよい。
【００１７】
測定装置１０は、空気質を測定できる測定器の一例である。本実施の形態では、測定装置１０は、例えば、予め定められた施設内の空気質を測定する。ここで、「空気質」とは、一般に建物内等の空気中のガス成分量を指す。具体的には、ＰＭ２．５、ＰＭ１０、花粉、ＶＯＣ等の空気に含まれる成分の濃度である。また「空気質」として、他に匂いの成分の濃度や、温度、湿度、気圧、黄砂等を含めてもよい。「施設」とは、人が社会生活を営む際に利用する構造物であり、主に建築物やその設備を意味する。本実施の場合、施設の用途は、特に限られるものではない。例えば、ホテル等の宿泊施設、飲食店・衣服販売店等の商業施設、遊園地・ボウリング場等のレジャー施設、市役所等の公共施設、駅・空港・バスターミナル等の交通施設、医院・病院などの医療施設などが該当する。
【００１８】
測定装置１０は、例えば、空気質提供システム１の運営者により配布される。これは例えば、測定を行なう施設に入場する場合に配布される。なお以後、測定装置１０を配布された人物を、「配布対象者」と言うことがある。配布対象者は、測定装置１０を配布されると、例えば、上述した施設内の空気質を測定する。そして、所定の測定が終了すると、測定装置１０を空気質提供システム１の運営者に返却する。これは例えば、測定を行なった施設から出場する場合に返却する。測定装置１０の配布は、無償であってもよく、有償であってもよい。また、測定装置１０の配布の際に、配布対象者から所定の預かり金を徴収し、測定装置１０の返却の際に預かり金を配布対象者に返却するデポジット方式でもよい。
【００１９】
測定装置１０が測定する空気質の項目は、特に限られるものではない。例えば、大気中に浮遊する微粒子を測定する。例えば、大気中に浮遊する微粒子のうち、粒子径が概ね２．５μｍ以下のものであるＰＭ２．５の濃度、大気中に浮遊する微粒子のうち、粒子径が概ね１０μｍ以下のものであるＰＭ１０の濃度、あるいは花粉の濃度を測定する。
また、測定装置１０は、微粒子のみならず、空気中に含まれる有機物質を測定してもよい。例えば、ＶＯＣの濃度や、匂いの成分の濃度を測定する。匂いの成分としては、例えば、人の汗の匂いの主成分である低級脂肪酸や、煙草の匂いの主成分である３−ビニルピリジン等が挙げられる。
さらに測定装置１０は、空気自体の項目として、温度、湿度、気圧等を測定してもよい。
これらは、空気の綺麗度や室内の快適性に関連する項目であり、例えば、この空気中にいる人物が快適に感じるか、不快に感じるかを左右する。
【００２０】
ただし、測定装置１０は、これら全ての空気質の項目の測定を行えるわけではない。つまり、空気質について、多数の項目を測定できる測定器は、大型となり、配布対象者が持ち運びを行なうためには、適さない。そのため、測定装置１０は、上述した空気質の項目の中から選択される限定的な項目の空気質について測定を行なう。これにより、測定装置１０の小型化が図れる。そして測定装置１０は、互いに異なる空気質の項目を測定可能な複数種類を用意する。これにより、各測定装置１０では、少数の項目の空気質の測定しか行えなくても、複数種類の測定装置１０を用いることにより、多くの項目の空気質の測定データを得ることができる。よって上記空気質の項目の測定データを網羅的に取得することができる。
【００２１】
また測定装置１０としては、空気質を測定するための専用機でもよいが、例えば、ＩＤカード兼用、ネームプレート兼用、バッジ兼用、入場券兼用、あるいは、スマートフォンのイヤホンジャックに差し込んで動作する空気質センサであってもよい。さらに専用アプリおよび空気質センサを内蔵したスマートフォンなども考えられる。なおこの場合、スマートフォンに限らず、携帯電話、タブレット等であってもよい。
【００２２】
携帯端末１５および携帯端末２０は、例えば、モバイルコンピュータ、携帯電話、スマートフォン、タブレット等のモバイル端末である。携帯端末２０は、無線通信を行なうためにアクセスポイント９０に接続する。そして携帯端末１５、２０は、アクセスポイント９０を介して、有線で通信を行うネットワーク７０に接続する。なお詳しくは後述するが、携帯端末１５は、測定装置１０を用いて空気質の測定を行なう配布対象者が所有する携帯端末であり、携帯端末２０は、空気質の情報を提供される情報被提供者が所有する携帯端末である。
【００２３】
管理サーバ４０は、空気質提供システム１の全体の管理をするサーバコンピュータである。詳しくは後述するが、例えば、管理サーバ４０は、測定装置１０から、施設内の空気質の情報を受信し、受信した空気質の情報を保存する。さらに管理サーバ４０は、空気質の情報を分析し、施設内の空気質について分析した分析情報を作成する。
【００２４】
携帯端末１５、携帯端末２０および管理サーバ４０は、演算手段であるＣＰＵと、記憶手段であるメインメモリ及びＨＤＤ（Hard Disk Drive）とを備える。ここで、ＣＰＵは、ＯＳ（基本ソフトウェア）やアプリケーションプログラム（応用ソフトウェア）等の各種ソフトウェアを実行する。また、メインメモリは、各種ソフトウェアやその実行に用いるデータ等を記憶する記憶領域であり、ＨＤＤは、各種ソフトウェアに対する入力データや各種ソフトウェアからの出力データ等を記憶する記憶領域である。
さらに、測定装置１０、携帯端末１５、携帯端末２０および管理サーバ４０は、外部との通信を行うための通信インタフェース（以下、「通信Ｉ／Ｆ」と表記する）と、ビデオメモリやディスプレイ等からなる表示機構と、入力ボタン、タッチパネル、キーボード等の入力機構とを備える。
【００２５】
ネットワーク７０は、測定装置１０、携帯端末１５、携帯端末２０および管理サーバ４０の間の情報通信に用いられる通信手段であり、例えば、インターネットである。
【００２６】
ネットワーク８０も、ネットワーク７０と同様に、測定装置１０、携帯端末１５、携帯端末２０および管理サーバ４０の間の情報通信に用いられる通信手段であり、例えば、ＬＡＮ（Local Area Network）である。
【００２７】
アクセスポイント９０は、有線で通信を行うネットワーク７０に対して、無線通信回線を利用して無線通信を行なう機器である。アクセスポイント９０は、測定装置１０、携帯端末１５および携帯端末２０と、ネットワーク７０との間の情報の送受信を媒介する。
無線通信回線の種類としては、携帯電話回線、ＰＨＳ（Personal Handy-phone System）回線、Ｗｉ−Ｆｉ（Wireless Fidelity）、Bluetooth（登録商標）、ZigBee、ＵＷＢ（Ultra Wideband）等の各回線が使用可能である。
【００２８】
＜空気質提供システム１の動作の概略説明＞
図２は、空気質提供システム１の概略動作の例について示した図である。
まず、測定装置１０の配布対象者が、施設内の空気質を測定する（１Ａ）。この際に、測定装置１０は、併せて自装置の位置を取得する（１Ｂ）。自装置の位置は、例えば、ＧＰＳ（Global Positioning System）機能を測定装置１０に内蔵させて求めることができる。ただし、ＧＰＳ機能が、測定装置１０に内蔵されていることは必ずしも必要ではなく、別体の装置とし、これから位置情報を取得することもできる。このとき、測定装置１０は、例えば、携帯端末１５とBluetooth等で通信を行ない、携帯端末１５に内蔵されたＧＰＳ機能を利用して測定した位置情報を取得してもよい。またＧＰＳ機能の代わりに、あるいは、ＧＰＳ機能と併用して、Ｗｉ−Ｆｉアクセスポイントの位置の情報を利用して自装置の位置を求めてもよい。
【００２９】
測定装置１０は、施設において空気質の測定をするため、求めた位置は、例えば、施設内の位置でもある。よってこの場合、測定装置１０は、施設内の位置を取得する、と言うこともできる。
【００３０】
次に、測定装置１０は、アクセスポイント９０、ネットワーク７０およびネットワーク８０を介して、管理サーバ４０に対し、測定した空気質の情報として測定データを送信する。また、自装置の位置の情報を位置情報として送信する（１Ｃ）。
【００３１】
そして管理サーバ４０は、送信された測定データおよび位置情報をＨＤＤ等に記憶する（１Ｄ）。
さらに管理サーバ４０は、位置情報を基に、施設内の位置の特定を行なうとともに、測定データの分析を行ない、双方を記憶する（１Ｅ）。
【００３２】
一方、空気質の情報を得たいユーザは、携帯端末２０を操作し、ブラウザ等のインターネット閲覧アプリを使用して、空気質の情報を提供するインターネットのウェブサイトに接続する。そして、管理サーバ４０からは、ユーザの存在する施設内の位置についての空気質の情報を携帯端末２０に対し送信する（１Ｆ）。これによりユーザは、自分が存在する位置における空気質の情報を得ることができる。なお以下、空気質の情報を得たいユーザを、「情報被提供者」と言うことがある。
【００３３】
また、管理サーバ４０は、配布対象者に対し、空気質の測定の返礼として、この施設に対するポイント等の特典を付与してもよい（１Ｇ）。
【００３４】
次に、本実施の形態の空気質提供システム１の詳細な機能構成および動作について説明する。
【００３５】
＜空気質提供システム１の機能構成の説明＞
図３は、空気質提供システム１の機能構成例を示したブロック図である。
なおここでは、空気質提供システム１が有する種々の機能のうち本実施の形態に関係するものを選択して図示している。
空気質提供システム１において、測定装置１０は、空気質を測定する空気質測定部１１と、自装置の位置を取得する位置取得部１２と、空気質の測定結果を表示する表示部１３と、管理サーバ４０と情報の送受信を行なう送受信部１４とを有する。
【００３６】
空気質測定部１１は、測定装置１０の周囲の空気を取り込み、空気質の測定を行なう。空気質として、例えば、ＰＭ２．５やＰＭ１０の濃度を測定する場合、空気質測定部１１は、微粒子計測器（パーティクルカウンタ）である。パーティクルカウンタは、例えば、光散乱方式により微粒子の大きさおよび数量を計測する。具体的には、パーティクルカウンタは、まず空気を一定量取り込む。そして空気を取り込みつつ、レーザーダイオードから、レーザー光を取り込んだ空気に照射する。このレーザ光は、例えば、波長７９０ｎｍの赤外線レーザーである。空気中に微粒子がある場合、その微粒子によって光が散乱され、散乱した光は、光軸から、例えば、９０度の位置に設けられている検出器で捕捉され、電気信号を発生する。この検出器は、例えば、ＣＣＤ（Charge Coupled Device：電荷結合素子）センサである。この際、微粒子の大きさによって、電気信号の大きさが異なるため、これにより粒子の粒径がわかる。また電気信号をカウントした回数が粒子数となる。即ち、空気中の微粒子の粒径ごとに、粒子数が計測できる。そして粒子数を基に濃度が算出できる。
【００３７】
また花粉についは、植物ごとにその粒径がほぼ一定であり、例えば、スギ花粉の粒径は、約３０μｍである。よって、約３０μｍの微粒子が花粉であるとみなすことで、花粉の粒子数を測定できる。また微粒子の形状等を併せて判断することで、約３０μｍの微粒子を検出したときに、粉塵であるか、花粉であるかの区別をすることができる。
【００３８】
また、ＶＯＣ等の空気中の有機物質は、例えば、加熱脱着ガスクロマトグラフ質量分析装置（Automatic Thermal Desorption - Gas Chromatograph / Mass Spectrometer（ATD-GC／MS））により測定することができる。具体的には、まず試料ガスである空気を捕集管に封入する。そしてこの捕集管に、窒素やヘリウム等の不活性ガスを流して水分を除去した後、捕集管を加熱して揮発性成分を脱着する。さらに脱着した成分を二次捕集管（トラップ）にコールドトラップし、二次捕集管を急速に加熱して揮発性成分をＧＣカラムに導入し分析する。そしてこれにより得られ、横軸を検出時間、縦軸を検出強度としたクロマトグラムを基に、検出時間により有機物質の種類が、また検出強度から濃度を算出できる。
【００３９】
さらに、空気の温度、湿度、気圧は、既知の温度計、湿度計、気圧計により測定することができる。
【００４０】
位置取得部１２は、上述したＧＰＳ機能やＷｉ−Ｆｉアクセスポイントを利用して、位置情報を取得する。
【００４１】
表示部１３は、空気質測定部１１で測定した測定データの表示を行なう。具体的には、例えば、ＰＭ２．５などの測定項目と、測定項目ごとの空気中の濃度とを表示する。また測定日時や位置取得部１２により取得された位置情報を表示してもよい。表示部１３は、例えば、測定装置１０に内蔵された液晶パネルである。
【００４２】
送受信部１４は、例えば、通信Ｉ／Ｆである。送受信部１４は、管理サーバ４０と通信を行ない、所定の情報のやりとりを行なう。この場合、所定の情報には、空気質測定部１１で測定した測定データ、および自装置の位置情報が含まれる。また他に、測定時刻や、測定装置１０の固有ＩＤ等が含まれる。
【００４３】
図示するように、携帯端末１５および携帯端末２０は、同様の機能構成を有する。即ち、情報の送受信を行なう送受信部１６、２１と、画像の表示を行なう表示部１７、２２と、情報を入力する入力部１８、２３とを備える。
【００４４】
送受信部１６、２１は、例えば、通信Ｉ／Ｆであり、アクセスポイント９０、ネットワーク７０およびネットワーク８０を介し、管理サーバ４０と情報の送受信を行なう。
【００４５】
表示部１７、２２は、例えば、タッチパネルである。この場合、表示部１７、２２は、各種情報が表示されるディスプレイと、指やスタイラスペン等で接触された位置を検出する位置検出シートとを備える。接触された位置を検出する手段としては、接触による圧力をもとに検出する抵抗膜方式や、接触した物の静電気をもとに検出する静電容量方式など、どのようなものが用いられてもよい。また表示部１７、２２は、液晶ディスプレイなどであってもよい。
【００４６】
入力部１８、２３は、例えば、上述したタッチパネルである。つまりこの場合、タッチパネルは、表示部１７、２２および入力部１８、２３の双方の機能を有する。また入力部１８、２３は、キーボードやマウス等で構成されていてもよい。
【００４７】
管理サーバ４０は、外部と通信を行なう送受信部４１と、所定の情報を記憶する記憶部４２と、取得した測定データを基に空気質の分析を行なう分析部４３と、情報被提供者に空気質の情報を提供する提供部４４とを有する。
【００４８】
送受信部４１は、例えば、通信Ｉ／Ｆであり、測定装置１０、携帯端末１５、および携帯端末２０と通信を行ない、所定の情報のやりとりを行なう。
また送受信部４１は、データ取得手段の一例であるデータ取得部４１１と、位置取得手段の一例である位置取得部４１２とを有する。データ取得部４１１は、測定器を配布された人物である配布対象者が、移動しつつ取得した測定データおよび測定地点に関する情報を取得する。また位置取得部４１２は、配布対象者とは異なる人物である情報被提供者の、存在する位置を取得する。
【００４９】
記憶部４２は、記憶手段の一例であり、測定地点に関する情報と測定データとを関連付けて記憶する。具体的には、測定地点の情報として、例えば、経度、緯度の情報を記憶する。また例えば、施設内に予め定められた基準点を設け、この基準点からの相対的位置を測定地点の情報とすることもできる。また測定データは、データ取得部４１１で取得した測定データである。
また、記憶部４２は、配布対象者の情報を記憶する。具体的には、配布対象者の情報は、配布対象者を特定できる情報であればよく、例えば、配布対象者の住所、氏名、性別、年齢、電話番号、メールアドレス、会員番号等の情報である。また配布対象者に配布された測定装置１０の固有ＩＤを配布対象者の情報に紐付けをして記憶する。これにより測定装置１０の固有ＩＤを基に配布対象者を特定できる。
【００５０】
分析部４３は、取得した測定データの分析を行なう。本実施の形態の場合、上述したように、測定装置１０は、少数の項目の空気質の測定データしか得られないため、複数種類の測定装置１０の測定データを集約することで、種々の測定地点における多数の項目の空気質の測定データを、網羅的にまとめる。
【００５１】
提供部４４は、提供手段の一例であり、測定地点に関する情報および測定データから、この位置における空気質の情報を情報被提供者に提供する。このとき提供部４４は、インターネットで、情報被提供者に空気質の情報を提供するウェブサイトの表示情報を作成する。これにより情報被提供者は、携帯端末２０を利用して、空気質の情報を閲覧することができる。
【００５２】
＜測定装置１０および管理サーバ４０の動作の詳細説明＞
次に本実施の形態の測定装置１０および管理サーバ４０が行なう動作の例について、より詳細に説明を行なう。
【００５３】
図４は、本実施形態において、測定装置１０および管理サーバ４０が行なう動作について説明したフローチャートである。
本実施形態では、まず、測定装置１０の空気質測定部１１が、空気質を測定する時刻になったか否かを判断する（ステップ１０１）。この時刻は、例えば、１０分毎、１時間毎など、予め定められた時間毎に設定してもよく、１日の間で測定する時刻を予め定めておいてもよい。
そして、空気質を測定する時刻になっていない場合（ステップ１０１でＮｏ）、ステップ１０１に戻る。
対して、空気質を測定する時刻になった場合（ステップ１０１でＹｅｓ）、空気質測定部１１が、空気質を測定する（ステップ１０２）。この場合、配布対象者の操作は特に必要なく、測定装置１０は、いわば自動的に空気質の測定を行なう。ただし、これに限られるものではなく、配布対象者が、空気質の測定を行ないたいときに、手動で測定を行なってもよい。空気質の測定は、空気質測定部１１が行ない、その結果を表示部１３で表示することができる。
【００５４】
図５は、測定装置１０が空気質の測定結果を表示した場合を示した図である。
図示する測定装置１０は、空気質測定部１１に対応する検出部１１０と、表示部１３に対応するディスプレイ１２０とを備える。例えば、配布対象者が、手動で空気質を測定するには、矢印キー１３１、１３２を操作し、空気質を測定する項目等を選択する。そして実行キー１３３を押下することで空気質の測定が実行される。ここでは、空気質の項目として、ＰＭ２．５やＰＭ１０の濃度を測定し、その結果が、ディスプレイ１２０に表示された例を示している。
なお、表示部１３で測定結果を表示する機能は、必ずしも必要ではない。つまり、空気質の測定は行なうが、測定結果を表示し、配布対象者が確認を行なう必要は必ずしもない。なおこの場合、表示部１３は、不要となり、なくてもよい。
【００５５】
図４に戻り、次に、測定装置１０は、空気質の測定を行なった際の自装置の位置を取得する（ステップ１０３）。自装置の位置は、上述したＧＰＳ機能やＷｉ−Ｆｉアクセスポイントを利用して、位置取得部１２が取得する。
そして、送受信部１４が、管理サーバ４０に対し、測定した空気質の情報である測定データおよび自装置の位置の情報である位置情報を送信する（ステップ１０４）。またこの際に、送受信部１４は、空気質の測定を行なった日時の情報や測定装置１０の固有ＩＤの情報をともに送信する。また併せて、配布対象者のコメント等も送信してもよい。
【００５６】
管理サーバ４０では、送受信部４１のデータ取得部４１１が、これらの情報を受信する（ステップ１０５）。つまり、データ取得部４１１は、予め定められた施設内の空気質の測定データを取得する。そして、記憶部４２にて、これらの情報を記憶する（ステップ１０６）。
【００５７】
次に、分析部４３が、取得した測定データの分析を行なう（ステップ１０７）。分析部４３は、多数の空気質の項目についての測定データを網羅的にまとめ、記憶部４２で保存する。
【００５８】
図６は、本実施形態において、記憶部４２で保存する空気質に関するデータのデータ構造について示した図である。
このうち、図６は、測定データと測定データに付随する属性情報について示した図である。
測定データは、上述したＰＭ２．５、ＰＭ１０、花粉、ＶＯＣ、温度、湿度、気圧のそれぞれの数値を示している。この数値の単位は、ＰＭ２．５、ＰＭ１０、花粉、ＶＯＣ（μｇ／ｍ３）であり、温度、湿度、気圧については、それぞれ（℃）、（％）、（ｈＰａ）である。よって、例えば、ＰＭ２．５について、１．８の数値が格納される場合は、ＰＭ２．５の濃度が、１．８（μｇ／ｍ３）であったことを意味する。
【００５９】
また属性情報は、ここでは、空気質を測定した「測定日時」、空気質を測定した場所である「測定地点」、測定装置１０の固有ＩＤである「測定器ＩＤ」、および測定装置１０を配布した配布対象者の情報である「配布対象者」の各情報が格納される。ここでは、「測定地点」については、施設内の場所の情報として経度、緯度が格納される。また、「配布対象者」については、配布対象者のメールアドレスが格納される。また「配布対象者」の情報は、さらに配布対象者の住所、氏名、性別、年齢、電話番号、会員番号等の情報等が格納されていてもよい。
【００６０】
本実施形態では、測定装置１０の種類は３種類である。つまりこの場合、測定装置１０は、ＰＭ２．５、ＰＭ１０、花粉を測定する微粒子計測器（パーティクルカウンタ）、ＶＯＣ等の空気中の有機物質を測定する加熱脱着ガスクロマトグラフ質量分析装置、温度、湿度、気圧を測定する装置の３種類からなる。例えば、測定器ＩＤが、６０１０の測定装置１０は、微粒子計測器である。また測定器ＩＤが、１１３８の測定装置１０は、温度、湿度、気圧を測定する装置である。さらに測定器ＩＤが、６３８２の測定装置１０は、加熱脱着ガスクロマトグラフ質量分析装置である。
【００６１】
そして、３種類の測定装置１０から送られる測定データを集約することで、これらの多数の項目の空気質の測定データを得ている。つまり本実施の形態では、データ取得部４１１は、それぞれの測定装置１０より予め定められた空気質の項目数よりも少ない項目数の測定データを取得し、取得した測定データを集約することで、予め定められた空気質の項目の測定データを得る。ここで、予め定められた空気質の項目は、ＰＭ２．５、ＰＭ１０、花粉、ＶＯＣ、温度、湿度、気圧である。
図６の情報は、配布対象者が空気質の測定を行なうたびに順次蓄積されていく。
【００６２】
再び図４に戻り、提供部４４は、測定装置１０により測定データを取得した配布対象者に対し、返礼として、この施設で利用できる特典を付与する（ステップ１０８）。また特典の付与は、図６の「配布対象者」のデータを使用することで行なう。この場合、「配布対象者」のデータは、メールアドレスであるため、このメールアドレスに対し、特典を付与する旨の通知を行なう。特典は、例えば、この施設で利用できるポイントである。ただし、ポイントに限られるものではなく、例えば、その施設が提供するサービスであってもよく、会員券や利用料金の値引き、クーポンの付与等であってもよい。配布対象者に特典を付与することで、測定装置１０を持ち運び、空気質の測定を行なうインセンティブを与えることができる。
【００６３】
図７は、空気質を測定した配布対象者に対し付与される特典の具体例を示した図である。
図示する例では、特典は、〇〇〇遊園地のポイントである。そして配布対象者が、施設として、〇〇〇遊園地の空気質を測定した結果、〇〇〇遊園地のポイントとして１０ポイントが付与された場合を示している。そして、配布対象者の所有する携帯端末１５の表示部１５０に、このクーポンを表示した場合を示している。この場合、表示部１５０には、「○○○遊園地の空気質の測定を行なっていただきありがとうございます。返礼としてポイントをお送りします。」のメッセージ１５１とともに、ポイントの説明１５２として、今回のポイントが１０ポイントである旨と、合計ポイントが１２０ポイントである旨が表示される。
【００６４】
＜携帯端末２０および管理サーバ４０の動作の詳細説明＞
次に本実施の形態の携帯端末２０および管理サーバ４０が行なう動作の例について、より詳細に説明を行なう。
【００６５】
図８は、携帯端末２０および管理サーバ４０が行なう動作について説明したフローチャートである。
まず、空気質の情報を閲覧したい情報被提供者は、携帯端末２０で動作するブラウザ等のアプリを操作する。この場合、タッチパネル等の表示部２２に表示がされるとともに、同様にタッチパネル等の入力部２３により、操作がなされる。そして管理サーバ４０が提供し、空気質の情報を閲覧可能なウェブサイトに接続する（ステップ２０１）。
【００６６】
次に、情報被提供者は、接続したウェブサイトにおいて、メニュー画面等を操作し、情報被提供者が存在する位置を送信する（ステップ２０２）。
情報被提供者が存在する位置の情報は、送受信部２１を介して、管理サーバ４０に送られ、管理サーバ４０の位置取得部４１２が、受信する（ステップ２０３）。
そして管理サーバ４０の提供部４４が、予め定められた施設内における空気質の表示情報を作成し、送受信部４１を介して、空気質の情報を携帯端末２０に送信する（ステップ２０４）。言い換えれば、提供部４４は、予め定められた施設内における空気質の情報を提供する。
【００６７】
そして送られた表示情報は、送受信部２１が、受信し、表示部２２にて選択した施設の空気質の情報が表示される（ステップ２０５）。
【００６８】
図９は、図８のステップ２０５において、表示される空気質の情報の例を示した図である。
図示するように、ディスプレイ２１０に空気質の情報２１１が表示されている。ここでは、施設である〇〇〇遊園地の空気質の情報として、ＰＭ２．５、ＰＭ１０、花粉、ＶＯＣが表示されている。またさらに空気質の情報として、温度、湿度、気圧が表示されている。このうち、ＰＭ２．５、ＰＭ１０、花粉、ＶＯＣの表示としては、◎（ほぼなし）、〇（少ない）、△（普通）、×（悪い）の４段階で表示する方式を採用している。なおこの場合、×（悪い）の評価がない場合であるため、×（悪い）は表示されていない。そしてこの画面から、戻るボタン２１３をタッチすると、この画面が表示される画面よりも１つ前の画面に戻れる。
【００６９】
なお情報被提供者の存在する位置と、配布対象者が空気質を測定した測定地点とが一致するとは限らない。この場合、情報被提供者の存在する位置における測定データがないことになる。よってその場合は、提供部４４は、以下に説明するように、情報被提供者の存在する位置の周囲の測定データを利用し、空気質の情報を算出する。
【００７０】
図１０は、情報被提供者の存在する位置の周囲の測定データから空気質の情報を算出する方法について示した図である。
図中、点Ｓは、情報被提供者の存在する位置を表す。また点Ｔ１、Ｔ２、Ｔ３、Ｔ４は、情報被提供者の存在する位置の周囲における測定地点を表している。そして、点Ｓと点Ｔ１との距離がＬ１、点Ｓと点Ｔ２との距離がＬ２、点Ｓと点Ｔ３との距離がＬ３、および点Ｓと点Ｔ４との距離がＬ４であることを示している。またこの場合、Ｌ１＜Ｌ２＜Ｌ３＜Ｌ４である。
この測定地点は、例えば、情報被提供者から予め定められた距離内にあるものを選択する。図示する例では、この距離をｒとし、情報被提供者から半径ｒの円内にある測定地点として、点Ｔ１、Ｔ２、Ｔ３、Ｔ４の４点が選択された場合を示している。また例えば、測定地点として、情報被提供者から近い順に、予め定められた数の測定地点を選択する方法でもよい。
【００７１】
そして、提供部４４は、点Ｔ１、Ｔ２、Ｔ３、Ｔ４における測定データから、点Ｓにおける空気質の情報を求める。具体的には、測定地点である点Ｔ１、Ｔ２、Ｔ３、Ｔ４と情報被提供者の存在する位置である点Ｓとの距離を基に、測定データを加重平均することで空気質の情報を予測して提供する。
【００７２】
図１１は、測定データを加重平均するときに使用する重みについて示した概念図である。
図示するように、点Ｓと点Ｔ１、Ｔ２、Ｔ３、Ｔ４との距離が近いほど重みは大きく、遠いほど重みは小さくなる。なお重みの合計は、１となるようにする。
【００７３】
また提供部４４は、配布対象者が測定データを取得した時刻と、位置を取得した時刻とを基に、空気質の情報を予測して提供するようにしてもよい。
図１２は、温度、湿度、および気圧についての空気質の測定データに対し、属性情報として測定日時および測定地点を抜き出した例を示している。
そして第１行目〜第４行目は、それぞれ点Ｔ１、点Ｔ３、点Ｔ４、点Ｔ２の測定地点における空気質の測定データである。また最終行の第５行目は、これらの測定データから予測した点Ｓにおける空気質の情報である。即ち、これらの測定データの時間による変遷から点Ｓにおける空気質の情報を予測している。また予測を行なうのに、過去の測定データから、時間による変遷の傾向を予め考慮することが好ましい。例えば、気温について、１４：００までは上昇する傾向にあり、１４：００以降は、下降する傾向がある場合、これを考慮して、予測を行なう。これにより、過去の測定データを活用して、より正確な空気質を予測することができる。
【００７４】
図１１で説明した方法は、情報被提供者の周囲の測定データが比較的新しい場合により有効である。また図１２で説明した方法は、情報被提供者の周囲の測定データの数が少ない場合により有効である。またこれら双方の方法を併用してもよい。
【００７５】
また、情報被提供者が所持する携帯端末２０で表示される空気質の情報について、その精度を併せて表示するようにしてもよい。つまり、図１１や図１２で説明したような方法を採用する場合、提供部４４が求めるのは、予測した空気質の情報であり、情報被提供者の存在する位置の空気質の情報を必ずしも正確に算出できるとは限らない。よって、情報被提供者に対し、算出した空気質の情報の精度を併せて表示し、表示した空気質の情報の正確性の程度についての情報を提供する。言い換えれば、提供部４４は、予測した空気質の情報の精度に応じ表示情報を変更して提供する。
この場合、精度は、点Ｔ１、Ｔ２、Ｔ３、Ｔ４で例示したような、情報被提供者の周囲の測定地点が多い場合は、上昇し、少ない場合は、下降する。また精度は、測定地点が情報被提供者から近い場合は、上昇し、遠い場合は、下降する。さらに測定データが新しい場合は、上昇し、古い場合は、下降する。
【００７６】
図１３は、携帯端末２０において、空気質の情報とともに、算出した空気質の情報の精度について併せて表示した例を示した図である。
ここでは、図９と同様にディスプレイ２１０に空気質の情報２１１が表示されている。そして空気質の情報２１１の図中右側に、算出した空気質の情報２１１の精度について表示を行なっている。精度の表示としては、◎（非常によい）、〇（よい）、△（普通）、×（悪い）の４段階で表示する方式を採用している。なおこの場合、×（悪い）の評価がない場合であるため、×（悪い）は表示されていない。
なお精度の表示については、これに限られるものではない。例えば、空気質の情報の精度に応じて、彩色を施す方法でもよい。この場合、例えば、青色（非常によい）、緑色（よい）、黄色（普通）、赤色（悪い）の４段階で表示する。この彩色は、文字自体を彩色してもよく、文字を黒色とし、文字の背景を彩色するようにしてもよい。
【００７７】
＜変形例１＞
上述した形態では、予め定められた施設内において、配布対象者が、空気質を測定し、その測定データを基に、情報被提供者が空気質の情報を得る場合について説明したが、予め定められた施設内であることに限られるものではない。例えば、複数の施設について同様のことを行なってもよい。また例えば、施設外である路上で空気質を測定し、情報被提供者は、路上における空気質の情報を得るような場合にも適用できる。
【００７８】
＜変形例２＞
また上述した形態では、空気質の情報を得るのは、携帯端末２０を所持する情報被提供者であったが、これに限られるものではなく、例えば、施設の管理者が空気質の情報を得られるようにしてもよい。つまり、提供部４４は、施設の管理者に対し、空気質の情報をさらに提供するようにする。空気質の情報は、例えば、施設内に設けられた端末装置に、管理サーバ４０から、ネットワーク７０およびネットワーク８０を介して送信される。これにより施設の管理者は、自施設の空気質の情報を閲覧できる。またさらに、例えば、施設の管理者が、設備の空気質を改良するのに適したアドバイスを管理サーバ４０から得られるようにしてもよい。例えば、アドバイスとしては、空気設備の改良、植物の配置、定期的な換気、空間改善に関する機器の設置等が挙げられる。さらに、これらを実行することができる業者の斡旋についてのアドバイスを行なってもよい。また、この業者の広告を管理サーバ４０から送ってもよい。またさらに、空気質が良好な場合、空気質が良好である旨を宣伝に使用し、集客を図るアドバイスを行なうこともできる。
また情報被提供者の存在する位置により、施設の利用者が施設内の何れの場所の空気質の情報を得たいかが判断できる。つまり情報被提供者の存在する位置が集中する場所は、空気質の情報についてのニーズがより高いということを意味する。よって施設の管理者は、この場所の空気質をより良くする必要性を認識することができ、空気質の改良を図る上で参考となる情報を得ることができる。
【００７９】
また以上説明した形態では、測定データは、測定装置１０からサーバに直接送信していたが、携帯端末１５で動作する専用アプリを使用してBluetooth等により、測定装置１０から測定データを取得し、携帯端末１５から、携帯電話回線やWi-Fi等の無線通信回線によりサーバに送信してもよい。
また情報被提供者に対しては、空気質の情報を得る見返りとして、ディスプレイ２１０に広告を表示してもよい。この広告は、例えば、情報被提供者のパーソナリティデータを基に、選択を行なってもよい。また情報被提供者が、空気質の情報を得るのに有料としてもよい。
【００８０】
以上説明した形態によれば、測定装置１０が少数であっても種々の場所で動的に空気質を把握することができ、少数の項目でしか空気質を測定できない測定装置１０を使用した場合であっても、数々の項目について空気質を把握することができる。言い換えれば、空気質の測定を行なう人物が、多数の項目を測定できる測定器を有していない場合であっても、必要に応じて多数の空気質の状態を認識することを可能にする。
また、空気質を測定する配布対象者は、移動しつつ測定データを取得する。つまり測定装置１０は固定されず、移動するため、種々の測定地点における測定データを取得できる。その結果、少数の測定装置１０で、種々の測定地点において測定データを取得できる。
そして、配布対象者とは異なる情報被提供者は、自分が測定装置１０を所持しなくても、自己が存在する位置における空気質の情報を得ることができる。
【００８１】
以上詳述した形態では、空気質提供システム１は、測定装置１０と、携帯端末１５、２０と、管理サーバ４０とが、ネットワーク７０、ネットワーク８０、アクセスポイント９０を介して接続されることにより構成されていたが、管理サーバ４０だけでも空気質提供システムであるとして扱うことができる。
【００８２】
＜プログラムの説明＞
ここで以上説明を行った本実施の形態における管理サーバ４０が行なう処理は、例えば、アプリケーションソフトウェア等のプログラムとして用意される。そしてこの処理は、ソフトウェアとハードウェア資源とが協働することにより実現される。即ち、管理サーバ４０に設けられたコンピュータ内部の図示しないＣＰＵが、上述した各機能を実現するプログラムを実行し、これらの各機能を実現させる。
【００８３】
よって本実施の形態で、管理サーバが行なう処理は、コンピュータに、空気質を測定できる測定装置１０を配布された人物である配布対象者が、移動しつつ取得した測定データおよび測定地点に関する情報を取得するデータ取得機能と、測定地点に関する情報と測定データとを関連付けて記憶する記憶機能と、測定装置１０を配布された人物とは異なる人物である情報被提供者の、存在する位置を取得する位置取得機能と、測定地点に関する情報および測定データから、この位置における空気質の情報を情報被提供者に提供する提供機能と、を実現させるためのプログラムとして捉えることもできる。
【００８４】
なお、本実施の形態を実現するプログラムは、通信手段により提供することはもちろんＣＤ−ＲＯＭ等の記録媒体に格納して提供することも可能である。
【００８５】
以上、本実施の形態について説明したが、本発明の技術的範囲は上記実施の形態に記載の範囲には限定されない。上記実施の形態に、種々の変更または改良を加えたものも、本発明の技術的範囲に含まれることは、特許請求の範囲の記載から明らかである。
【符号の説明】
【００８６】
１…空気質提供システム、１０、１０ａ、１０ｂ…測定装置、１５、１５ａ、１５ｂ、２０、２０ａ、２０ｂ…携帯端末、４０…管理サーバ、４１…送受信部、４２…記憶部、４３…分析部、４４…提供部
【図１】
2020034341.tif 000003
【図２】
2020034341.tif 000004
【図３】
2020034341.tif 000005
【図４】
2020034341.tif 000006
【図５】
2020034341.tif 000007
【図６】
2020034341.tif 000008
【図７】
2020034341.tif 000009
【図８】
2020034341.tif 000010
【図９】
2020034341.tif 000011
【図１０】
2020034341.tif 000012
【図１１】
2020034341.tif 000013
【図１２】
2020034341.tif 000014
【図１３】
2020034341.tif 000015